(57)【要約】      （修正有）【課題】磁場を遮蔽でき、衝撃に強いフレキシブル電力無線通信誘導板を提供する。【解決手段】フレキシブル電力無線通信誘導板１００は、電力誘導モジュール１０、調整間隙シート３０、遮蔽シート５０及び隔離シート６０を備える。電力誘導モジュール１０は、可撓性を備えるとともに、同心円状で間隔をおいて設置されたリング状の複数の誘導コイル１１を含む。調整間隙シート３０は、第１の接着層２０を介して電力誘導モジュール１０の下に配設される。遮蔽シート５０は、第２の接着層４０を介して調整間隔シート３０の下に配設されて導磁効果を得るとともに、電磁干渉及び磁束漏れを防ぐ。隔離シート６０は、遮蔽シート５０の下に配設されて磁場を隔離する。【選択図】図２
0003188323.tif 000002
【実用新案登録請求の範囲】
【請求項１】
電力誘導モジュール、調整間隙シート、遮蔽シート及び隔離シートを備えたフレキシブル電力無線通信誘導板であって、
前記電力誘導モジュールは、可撓性を備えるとともに、同心円状で間隔をおいて設置されたリング状の複数の誘導コイルを含み、
前記調整間隙シートは、前記電力誘導モジュール下に配設され、
前記遮蔽シートは、前記調整間隔シート下に配設されて導磁効果を得るとともに、電磁干渉及び磁束漏れを防ぎ、
前記隔離シートは、前記遮蔽シート下に配設されて磁場を隔離することを特徴とするフレキシブル電力無線通信誘導板。
【請求項２】
上カバー及び底板を有するとともに、前記電力誘導モジュール、前記調整間隙シート及び前記遮蔽シートを収容する筐体をさらに備えることを特徴とする請求項１に記載のフレキシブル電力無線通信誘導板。
【請求項３】
第１の接着層及び第２の接着層をさらに備え、
前記第１の接着層は、前記電力誘導モジュールと前記調整間隔シートとの間に形成されるとともに、前記電力誘導モジュールを前記第１の接着層の上表面に貼着し、前記調整間隙シートを前記第１の接着層の下表面に貼着し、
前記第２の接着層は、前記調整間隙シート下に形成され、前記調整間隙シートが前記第２の接着層の上表面に貼着され、
前記遮蔽シートは、前記第２の接着層の下表面に貼着され、
前記第２の接着層の面積は、前記調整間隙シートの面積に略等しいことを特徴とする請求項１に記載のフレキシブル電力無線通信誘導板。
【請求項４】
前記調整間隙シートは、可撓性を備えたフレキシブルシートであり、異なる厚さにより導磁間隙を調整し、
前記遮蔽シートは、鉄粉接着物からなるフレキシブルシートであり、
前記隔離シートは、アルミニウムからなるフレキシブルシートであることを特徴とする請求項１に記載のフレキシブル電力無線通信誘導板。
【請求項５】
ＬＥＤ指示ランプ及び帯状ＬＥＤ指示ランプをさらに備え、
前記ＬＥＤ指示ランプは、前記電力誘導モジュールの中心部に位置し、
前記帯状ＬＥＤ指示ランプは、矩形状に形成される上、前記電力誘導モジュールの外周に設けられることを特徴とする請求項２に記載のフレキシブル電力無線通信誘導板。
【考案の詳細な説明】
【技術分野】
【０００１】
本考案は、電力通信装置に関し、特に、フレキシブル電力無線通信誘導板に関する。
【背景技術】
【０００２】
従来の電力無線通信装置は、誘導コイル及び鉄心板を含む。誘導コイルは、鉄心板の表面上に設置し、外部電気製品には、誘導コイルを有する電力誘導モジュールが配設され、電力を無線通信する際に電力誘導モジュールを電力無線通信装置の誘導コイルへ近づけ、電流が電力無線通信装置の誘導コイルに流れると鉄心板に磁場が発生し、電力誘導モジュールが磁場に感応すると電力誘導モジュールの誘導コイルに電流が流れ、電力通信を行う。従来の電力無線通信装置は、磁場を遮蔽しない構造であり、電力無線通信装置により電磁誘導により電力を伝送する過程において、磁束が漏れる状況が発生し、電力無線通信装置は、使用上、身体の健康を損なう虞があった。また、一般の鉄心板は、脆くて損壊し易く、厚さが大き目であるため可撓性を備える。そのため、電力無線通信装置が大き目の空間を占有し、電力無線通信装置を不用意に落としたり他の物に当たったりすると、鉄心板が破裂し、鉄心板と誘導コイルとが分離して電力誘導に悪影響を与えることがあった。
【考案の概要】
【考案が解決しようとする課題】
【０００３】
本考案の目的は、従来技術の問題点を改善するフレキシブル電力無線通信誘導板を提供することにある。
【課題を解決するための手段】
【０００４】
上記課題を解決するために、本考案の第１の形態によれば、電力誘導モジュール、調整間隙シート、遮蔽シート及び隔離シートを備えたフレキシブル電力無線通信誘導板であって、前記電力誘導モジュールは、可撓性を備えるとともに、同心円状で間隔をおいて設置されたリング状の複数の誘導コイルを含み、前記調整間隙シートは、前記電力誘導モジュール下に配設され、前記遮蔽シートは、前記調整間隔シート下に配設されて導磁効果を得るとともに、電磁干渉及び磁束漏れを防ぎ、前記隔離シートは、前記遮蔽シート下に配設されて磁場を隔離することを特徴とするフレキシブル電力無線通信誘導板が提供される。
【０００５】
上カバー及び底板を有するとともに、前記電力誘導モジュール、前記調整間隙シート及び前記遮蔽シートを収容する筐体をさらに備えることが好ましい。
【０００６】
第１の接着層及び第２の接着層をさらに備え、前記第１の接着層は、前記電力誘導モジュールと前記調整間隔シートとの間に形成されるとともに、前記電力誘導モジュールを前記第１の接着層の上表面に貼着し、前記調整間隙シートを前記第１の接着層の下表面に貼着し、前記第２の接着層は、前記調整間隙シート下に形成され、前記調整間隙シートが前記第２の接着層の上表面に貼着され、前記遮蔽シートは、前記第２の接着層の下表面に貼着され、前記第２の接着層の面積は、前記調整間隙シートの面積に略等しいことが好ましい。
【０００７】
前記調整間隙シートは、可撓性を備えたフレキシブルシートであり、異なる厚さにより導磁間隙を調整し、前記遮蔽シートは、鉄粉接着物からなるフレキシブルシートであり、前記隔離シートは、アルミニウムからなるフレキシブルシートであることが好ましい。
【０００８】
ＬＥＤ指示ランプ及び帯状ＬＥＤ指示ランプをさらに備え、前記ＬＥＤ指示ランプは、前記電力誘導モジュールの中心部に位置し、前記帯状ＬＥＤ指示ランプは、矩形状に形成される上、前記電力誘導モジュールの外周に設けられることが好ましい。
【図面の簡単な説明】
【０００９】
【図１】本考案の第１実施形態に係るフレキシブル電力無線通信誘導板を示す斜視図である。
【図２】本考案の第１実施形態に係るフレキシブル電力無線通信誘導板を示す分解斜視図である。
【図３】本考案の第１実施形態に係るフレキシブル電力無線通信誘導板を示す断面図である。
【図４】本考案の第１実施形態に係るフレキシブル電力無線通信誘導板を実際に使用するときの状態を示す斜視図である。
【図５】本考案の第２実施形態に係るフレキシブル電力無線通信誘導板を示す分解斜視図である。
【図６】本考案の第２実施形態に係るフレキシブル電力無線通信誘導板を示す斜視図である。
【考案を実施するための形態】
【００１０】
以下、本考案の実施形態について図に基づいて説明する。なお、これによって本考案が限定されるものではない。
【００１１】
（第１実施形態）
図１〜図３を参照する。図１は、本考案の第１実施形態に係るフレキシブル電力無線通信誘導板を示す斜視図である。図２は、本考案の第１実施形態に係るフレキシブル電力無線通信誘導板を示す分解斜視図である。図３は、本考案の第１実施形態に係るフレキシブル電力無線通信誘導板を示す断面図である。図１〜図３に示すように、本考案の第１実施形態に係るフレキシブル電力無線通信誘導板１００は、少なくとも電力誘導モジュール１０、第１の接着層２０、調整間隙シート３０、第２の接着層４０、遮蔽シート５０、隔離シート６０及び筐体７０から構成される。
【００１２】
電力誘導モジュール１０は、可撓性を備えて複数の誘導コイル１１を含む。誘導コイル１１は、リング状であり、同心円状で間隔をおいて設置される。誘導コイル１１は、電流を案内して外部の電力を電力誘導モジュール１０へ供給する２つの導線１１１を有する。
【００１３】
第１の接着層２０は、電力誘導モジュール１０下に形成され、第１の接着層２０の上表面に電力誘導モジュール１０が貼着される。
【００１４】
調整間隙シート３０は、第１の接着層２０下に形成されて第１の接着層２０の下表面に貼着され、可撓性を備えたフレキシブルシートであり、第１実施形態の調整間隙シート３０は、異なる厚さにより導磁間隙を調整することができる。
【００１５】
第２の接着層４０は、調整間隙シート３０下に形成され、調整間隙シート３０を第２の接着層４０の上表面へ貼着する。第２の接着層４０の面積は、調整間隙シート３０の面積に略等しい。
【００１６】
遮蔽シート５０は、第２の接着層４０下に形成され、第２の接着層４０の下表面に貼着され、遮蔽シート５０の面積は第２の接着層４０の面積に略等しい。本考案の第１実施形態に係るフレキシブル電力無線通信誘導板の遮蔽シート５０は、鉄粉接着物からなるフレキシブルシートであり、導磁効果を得るとともに、電磁干渉及び磁束漏れを防ぐことができる。
【００１７】
隔離シート６０は、遮蔽シート５０下に配設され、遮蔽シート５０より僅かに大きな面積を有する。隔離シート６０の周縁には複数の貫通孔６１が形成される。本考案の第１実施形態に係るフレキシブル電力無線通信誘導板の隔離シート６０は、アルミニウムからなるフレキシブルシートであり、磁場遮蔽の効果を有し、本考案の底部の基材として用いる。
【００１８】
筐体７０は、上カバー７１及び底板７２を含む。上カバー７１は、底板７２上を覆う。筐体７０内には、電力誘導モジュール１０、第１の接着層２０、調整間隙シート３０、第２の接着層４０及び遮蔽シート５０が収容される。底板７２の底部には、滑り止め接着層７３が形成される。
【００１９】
続いて図４を参照する。同時に図１〜図３に併せて示すように、本考案の第１実施形態に係る電力誘導モジュール１０は、外部電力源に接続されて電力が供給される。携帯電話などの外部電気製品２００に外部給電を行ったり充電したりする場合、外部電気製品２００を筐体７０上の電力誘導モジュール１０に対応した箇所へ設置する。このときフレキシブル電力無線通信誘導板１００は、電力誘導モジュール１０の誘導コイル１１を介して外部電気製品２００に対して電磁誘導方式により電力供給を行ったり充電したりすることができるため、ユーザは容易に使用することができる。本考案の誘導コイル１１を有する電力誘導モジュール１０は、充電誘導コイルを有する外部の電気製品に対して電力供給を行ったり充電したりすることができるため、その使用価値は高い。
【００２０】
（第２実施形態）
図５及び図６を参照する。図５は、本考案の第２実施形態に係るフレキシブル電力無線通信誘導板を示す分解斜視図である。図６は、本考案の第２実施形態に係るフレキシブル電力無線通信誘導板を示す斜視図である。図５及び図６に示すように、本考案の第２実施形態に係るフレキシブル電力無線通信誘導板は、第１実施形態と異なり、ＬＥＤ指示ランプ８０が筐体７０内に収容されて電力誘導モジュール１０の中心部に位置する。ＬＥＤ指示ランプ８０は、電力誘導モジュール１０と電気的に接続されて電力供給領域を知らせるために用いられ、この構成によりユーザは電力誘導モジュール１０の位置を知ることができる。また、帯状ＬＥＤ指示ランプ９０は、筐体７０に設けられて電力誘導モジュール１０と電気的に接続される。帯状ＬＥＤランプは、矩形状に形成され、電力誘導モジュールの外周に設けられる。帯状ＬＥＤ指示ランプ９０は、異なる色の複数のＬＥＤから構成され、帯状ＬＥＤ指示ランプ９０は、電力供給領域を知らせるために用いられ、ユーザは、電力誘導モジュール１０の位置を検知することができ、発光する色によりフレキシブル電力無線通信誘導板１００の給電状態を知ることができる。言い換えると、ユーザは外部の電気製品の充電状態を知ることができる。
【００２１】
上述したことから分かるように、本考案のフレキシブル電力無線通信誘導板は、以下（１）〜（５）の長所を有する。
【００２２】
（１）調整間隙シート３０、遮蔽シート５０、隔離シート６０及び電力誘導モジュール１０がフレキシブル材料からなるため、可撓性を備えて便利に使用することができる。
（２）電力誘導モジュール１０は、電磁誘導方式で給電する誘導コイル１１を有するため、無線通信方式により誘導コイルを有する外部電気製品に対して電力供給を行ったり充電したりして無線給電を行うことができる。
（３）フレキシブル電力無線通信誘導板１００の中間層は、調整間隙シート３０により構成されているため、調整間隙シート３０が異なる厚さを有するため導磁間隙を調整することができる。
（４）フレキシブル電力無線通信誘導板１００は、遮蔽シート５０により電磁干渉及び磁束漏れを防ぐことができ、隔離シート６０により磁場を隔離することができ、フレキシブル材料からなるため破裂する虞がなく、磁束漏れを発生させず、動作性能又はその他電子製品に悪影響を与えたり、身体に悪影響を与えたりすることを防ぐことができる。
（５）フレキシブル電力無線通信誘導板１００には、鉄心板が配設されていないため、従来の電力無線通信装置と比べてその全体の厚さを非常に薄くすることができる。
【００２３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２４】
１０  電力誘導モジュール
１１  誘導コイル
２０  第１の接着層
３０  調整間隙シート
４０  第２の接着層
５０  遮蔽シート
６０  隔離シート
６１  貫通孔
７０  筐体
７１  上カバー
７２  底板
７３  滑り止め接着層
８０  ＬＥＤ指示ランプ
９０  帯状ＬＥＤ指示ランプ
１００  フレキシブル電力無線通信誘導板
１１１  導線
２００  外部電気製品
【図１】
0003188323.tif 000003
【図２】
0003188323.tif 000004
【図３】
0003188323.tif 000005
【図４】
0003188323.tif 000006
【図５】
0003188323.tif 000007
【図６】
0003188323.tif 000008